(57)【特許請求の範囲】
【請求項１】
軒先側の建物躯体である屋根部材と、その屋根部材の表面に形成される屋根葺材との間に固定される軒先部材であって、
建物躯体に固定される本体部と、
その本体部の軒先側に位置して屋根葺材の軒先側を係止可能な係止部と、
この係止部から下方に向かって連続して延びて水切り可能な水切部とを備え、
この水切部は、その端部側を建物躯体側に向かって折り曲げた折り曲げ部を備え、
この折り曲げ部には、鼻隠しの上部先端を差し込み可能な差込部が形成されるとともに、
前記本体部の棟側の端部には、この端部を屋根葺材側に向かって曲げることにより、軒先側に折り返した折り返し部を備えたことを特徴とする軒先部材。
【請求項２】
係止部は、本体部の軒先側の端部を棟側に向かってＶ字状に折り曲げて形成されていることを特徴とする請求項１記載の軒先部材。
【請求項３】
軒先部材の折り返し部、本体部、係止部、水切部、折り曲げ部及び差込部は、連続する薄板部材を折り曲げることにより一体物として形成されていることを特徴とする請求項１または請求項２記載の軒先部材。
【請求項４】
水切部は、垂れ落ちる水滴を樋に回収するために樋の上方に位置するように形成したことを特徴とする請求項１、請求項２または請求項３記載の軒先部材。
【発明の詳細な説明】
【０００１】
【発明の属する技術分野】
この発明は、屋根葺材の軒側端部を固定するために軒先に固定する軒先部材に関する。
【０００２】
【先行技術】
図４は、従来の軒先部材の概略縦断面図を示すものである。
従来の軒先部材110は、薄板金属からなる屋根葺材120の軒先端部を止めるために平板状の薄板金属から形成されていた。すなわち、この軒先部材110は、屋根部材140の軒先に沿って配置され、その上面から締結部材130により屋根部材140に固定されていた。その際、軒先部材110の軒側端部は、屋根部材140の軒先から僅かに突出するように配置されていた。そして、屋根部材140の表面に薄板金属からなる屋根葺材120を形成する際、屋根部材140の軒先から突出する部分に屋根葺材120の軒先側の端部を回り込ませて引っかけるように固定されていた。
【０００３】
図５は、従来の他の軒先部材の概略縦断面図を示すものである。
この軒先部材110は、縦断面形状が略Ｌ字状であって、軒先の先端から下方に向かって屋根部材140の軒先端面に沿って略直角に折り曲げられている。そして、締結部材130は、屋根部材140の軒先端面側から屋根部材140に向かって打ち込まれている。そして、屋根葺材120は、この軒先部材110に沿って軒先端面から下方に向かって折り曲げられ、軒先部材110の下端を回り込ませて引っかけるように固定されていた。
【０００４】
なお、これら屋根葺材30は、通常、軒先側から棟側に向かって形成されるものである。
【０００５】
【発明が解決しようとする課題】
しかし、上記した従来の軒先部材110は、薄板金属からなる屋根葺材120の端部を止めることができるが、回り込ませた屋根葺材120の表面を伝わってきた水滴が、軒先部材110に沿って屋根部材140との間に浸入し、建物躯体の内部に水が伝わってしまうおそれがあるという問題点があった。
【０００６】
そこで、請求項１記載の発明は、上記した従来の技術の有する問題点に鑑みてなされたものであり、その目的とするところは、軒先部材の軒先先端から上面側を伝わってきた水が建物躯体に伝わることを抑え、建物躯体への水の浸入を抑えることができるとともに、鼻隠しの上部先端を差し込むことができて、鼻隠しの上部先端と軒先部材の下端とを一体化することができて、両者を強固に固定することができる軒先部材を提供しようとするものである。
【０００７】
これに加え、請求項２記載の発明は、係止部に回り込ませた屋根葺材が棟側に引っ張られると、より強固に係止することができる軒先部材を提供しようとするものである。
【０００８】
これに加え、請求項３記載の発明は、一体物として形成したことにより、安価且つ容易に製造することができる軒先部材を提供しようとするものである。
これに加え、請求項４記載の発明は、水切部から垂れ落ちる水滴を建物周囲に落とすことなく樋に回収することができて、水滴の建物周囲への付着や、地面から建物躯体への跳ね返りを抑えることができる軒先部材を提供しようとするものである。
【０００９】
【課題を解決するための手段】
本発明は、上記した目的を達成するためのものである。
請求項１記載の発明は、軒先側の建物躯体である屋根部材(20)と、その屋根部材(20)の表面に形成される屋根葺材(30)との間に固定される軒先部材(10)であって、建物躯体に固定される本体部(40)と、その本体部(40)の軒先側に位置して屋根葺材(30)の軒先側を係止可能な係止部(50)と、この係止部(50)から下方に向かって連続して延びて水切り可能な水切部(60)とを備え、この水切部(60)は、その端部側を建物躯体側に向かって折り曲げた折り曲げ部(42)を備え、この折り曲げ部(42)には、鼻隠し(11)の上部先端を差し込み可能な差込部(62)が形成されるとともに、前記本体部(40)の棟側の端部には、この端部を屋根葺材(30)側に向かって曲げることにより、軒先側に折り返した折り返し部(41)を備えたことを特徴とする。
【００１０】
なお、ここで、「屋根葺材(30)」とは、屋根部材(20)の表面に固定される薄板金属等からなるものを含むものであって、例えば、塩化ビニル鋼板等を含むものである。
本発明によれば、本体部(40)の軒先側に係止部(50)を備えているため、この係止部(50)に屋根葺材(30)の軒先側を係止することができる。さらに、この係止部(50)から下方に向かって連続して延びて水切り可能な水切部(60)を備えているため、係止部(50)に係止された屋根葺材(30)の表面から伝わってきた水滴が、係止部(50)の下方に向かって伝わってきても、この水切部(60)により水切りされる。これにより、軒先部材(10)を介して、建物躯体に水が伝わることを抑えることができる。
【００１１】
また、本発明によれば、水切部(60)が、その端部側を建物躯体側に向かって折り曲げた折り曲げ部(42)を備え、この折り曲げ部(42)には、鼻隠しの上部先端を差し込み可能な差込部(62)を形成してあるため、軒先部材(10)の下部と、鼻隠し(11)の上部先端とを一体化することができ、両者を強固に固定することができる。これにより、軒先部材(10)と鼻隠し(11)との間に隙間を形成することがなく、かかる隙間により、雨水等が建物躯体に向かって浸入することを抑えることができ、さらに、虫や、鳥等の小動物が建物躯体側に向かって入り込むことを抑えることができる。
さらに、本発明によれば、軒先部材(10)が、本体部(40)の棟側の端部に屋根葺材(30)側に向かって曲げることにより、軒先側に折り返した折り返し部(41)を備えているため、軒先部材(10)の屋根葺材(30)側、いわゆる上面側に沿って水が棟側に向かって伝わってきても、この折り返し部(41)によりせき止められ、軒先部材(10)の棟側の端部から建物躯体に向かって水が浸入することを抑えることができる。
【００１２】
請求項２記載の発明は、上記した請求項１記載の特徴点に加え、係止部(50)は、本体部(40)の軒先側の端部を棟側に向かってＶ字状に折り曲げて形成されていることを特徴とする。
本発明によれば、係止部(50)が、本体部(40)の軒先側の端部を棟側に向かってＶ字状に折り曲げて形成されているため、この係止部(50)に沿って屋根葺材(30)の軒側の端部を覆うように係止した場合、この屋根葺材(30)に対して棟側に向かって引っ張られる方向に力を加えることにより、屋根葺材(30)の軒先端部が係止部(50)のＶ字状表面に沿って拡がる方向に弾性変形する。これにより、屋根葺材(30)の軒先側は、常に係止部(50)を挟み込む方向に力が加わり、屋根葺材(30)と係止部(50)との相互の密着性を良好なものにすることができるとともに、屋根葺材(30)をより強固に係止部(50)に係止することができる。したがって、現場施工において、屋根葺材(30)を固定する際、屋根葺材(30)を係止部(50)に係止した後、棟側に引っ張りながら固定することにより、屋根葺材(30)を軒先部材(10)に強固に固定した状態を維持することができる。
【００１３】
【００１４】
請求項３記載の発明は、上記した請求項１または請求項２記載の特徴点に加え、軒先部材(10)の折り返し部(41)、本体部(40)、係止部(50)、水切部(60)、折り曲げ部(42)及び差込部(62)は、連続する薄板部材を折り曲げることにより一体物として形成されていることを特徴とする。
本発明によれば、軒先部材(10)の折り返し部(41)、本体部(40)、係止部(50)、水切部(60)、折り曲げ部(42)及び差込部(62)は、連続する薄板部材を折り曲げることにより一体物として形成されているため、多くの部材を必要とすることなく、溶接等の接合作業を必要とすることなく、簡単な折り曲げ作業のみにより、形成することができて、安価且つ容易に形成することができる。
【００１５】
請求項４記載の発明は、上記した請求項１、請求項２または請求項３記載の特徴点に加え、水切部(60)は、垂れ落ちる水滴を樋(70)に回収するために樋(70)の上方に位置するように形成したことを特徴とする。
本発明によれば、水切部(60)が垂れ落ちる水滴を樋(70)に回収するために樋(70)の上方に位置するように形成されているため、水切部(60)から垂れ落ちる水滴を樋(70)に確実に回収することができ、水切部(60)からの水滴を建物躯体の周辺に落とすことを抑えることができる。これにより、建物躯体の周囲に水滴が落下して、その周囲の土が飛散して建物躯体に付着して、建物躯体の外観を不良にすることを抑えることができる。また、建物躯体の周囲に水滴を落下させて、落下途中に風に吹かれて建物躯体に水滴が付着することも抑えることができ、建物躯体の防水性を担保することができる。
【００１６】
【発明の実施の形態】
以下、本発明の実施の形態を図面に基づいて、更に詳しく説明する。
図１乃至図２は、本発明の第一の実施の形態を示すものであり、図１は軒先部材の縦断面図、図２は軒先部材の外観側面図をそれぞれ示す。
まず、本実施の形態の構成について説明する。
【００１７】
本実施の形態に係る軒先部材10は、軒先側の建物躯体である屋根部材20と、その屋根部材20の表面に形成される屋根葺材30との間に固定されるものである。前記屋根部材20は、木質の屋根パネルからなり、その表面には、アスファルトルーフィング21が形成されている。そして、このアスファルトルーフィング21と屋根部材20との間に軒先部材10の上部が差し込まれている。また、前記屋根葺材30は、塩化ビニル鋼板からなり軒先側から棟側に向かって順に固定されるものである。
【００１８】
前記軒先部材10は、建物躯体に固定される平板状の本体部40と、その本体部40の軒先側に位置して、屋根の勾配と略平行であって斜め下方に突出することにより屋根葺材30の軒先側を係止可能な係止部50と、この係止部50から下方に向かって連続して延びて水切り可能な水切部60とを備えている。前記本体部40は、その棟側において、ネジ等の締結部材43により、屋根部材20に固定されている。
【００１９】
前記係止部50は、本体部40の軒先側の端部を下方に向かって折り曲げることにより、棟側に向かってＶ字状に折り曲げて形成されている。そして、この係止部50は、屋根葺材30の軒先から樋70の略中央上方の位置にまで連続して直線状に形成されている。前記水切部60は、軒先に沿った端部側を建物躯体側に向かって折り曲げた折り曲げ部42を備えている。この折り曲げ部42には、鼻隠し11の上部先端を差し込み可能な差込部62を形成している。そして、水切部60は、垂れ落ちる水滴を樋70に回収するために樋70の上方に位置するように形成されている。
【００２０】
そして、軒先部材10は、その本体部40の棟側の端部に位置して、屋根葺材30側に向かって曲げることにより、軒先側に折り返した折り返し部41を備えている。そして、この軒先部材10の折り返し部41、本体部40、係止部50、水切部60、折り曲げ部42及び差込部62は、連続する薄板部材を折り曲げることにより一体物として形成されている。
【００２１】
次に、上記した実施の形態の作用及び効果について説明する。
本実施の形態は、本体部40の軒先側に係止部50を備えているため、この係止部50に屋根葺材30の軒先側を係止することができる。さらに、この係止部50から下方に向かって連続して延びて水切り可能な水切部60を備えているため、係止部50に係止された屋根葺材30の表面から伝わってきた水滴が、係止部50の下方に向かって伝わってきても、この水切部60により水切りされる。これにより、軒先部材10を介して、建物躯体に水が伝わることを抑えることができる。
【００２２】
また、軒先部材10は、その本体部40の棟側の端部に屋根葺材30側に向かって曲げることにより、軒先側に折り返した折り返し部41を備えている。このため、軒先部材10の屋根葺材30側、いわゆる上面側に沿って水が棟側に向かって伝わってきても、この折り返し部41によりせき止められ、軒先部材10の棟側の端部から建物躯体に向かって水が浸入することを抑えることができる。
【００２３】
そして、本実施の形態において、係止部50が、本体部40の軒先側の端部を棟側に向かってＶ字状に折り曲げて形成されている。このため、この係止部50に沿って屋根葺材30の軒側の端部を覆うように係止した場合、この屋根葺材30に棟側に引っ張られる方向に力を加えることにより、屋根葺材30の軒先端部が係止部50のＶ字状表面に沿って拡がる方向に弾性変形する。これにより、屋根葺材30の軒先側は、常に係止部50を挟み込む方向に力が加わり、屋根葺材30と係止部50との相互の密着性を良好なものにすることができるとともに、屋根葺材30をより強固に係止部50に係止することができる。したがって、現場施工において、屋根葺材30を固定する際、屋根葺材30を軒先部材10に係止した後、屋根葺材30を棟側に引っ張りながら固定することにより、屋根葺材30を軒先部材10に強固に固定した状態を維持することができる。
【００２４】
そして、係止部50は、屋根葺材30の軒先から、樋70の略中央上方の位置にまで連続して直線状に形成されている。このため、屋根葺材30の上に大量の雪が積もり、一度に、その雪の自重により、雪が屋根葺材30の表面を滑り落ちてきた場合に、滑り落ちてきた雪が樋70に引っかかって、樋70を破損させることなく、樋70の上を通りこして、建物周囲に自然落下させることができる。
【００２５】
そして、本実施の形態は、水切部60が、その端部側を建物躯体側に向かって折り曲げた折り曲げ部42を備え、この折り曲げ部42には、鼻隠しの上部先端を差し込み可能な差込部62を形成してある。このため、軒先部材10の下部と、鼻隠し11の上部先端とを一体化することができ、両者を強固に固定することができる。これにより、軒先部材10と鼻隠し11との間に隙間を形成することがなく、かかる隙間により、雨水等が建物躯体に向かって浸入することを抑えることができ、さらに、虫や、鳥等の小動物が建物躯体側に向かって入り込むことを抑えることができる。
【００２６】
また、軒先部材10の折り返し部41、本体部40、係止部50、水切部60、折り曲げ部42及び差込部62は、連続する薄板部材を折り曲げることにより一体物として形成されている。このため、本実施の形態に係る軒先部材10は、多くの部材を必要とすることなく、溶接等の接合作業を必要とすることなく、簡単な折り曲げ作業のみにより、形成することができて、安価且つ容易に形成することができる。
【００２７】
そして、本実施の形態において、水切部60が垂れ落ちる水滴を樋70に回収するために樋70の上方に位置するように形成されている。このため、水切部60から垂れ落ちる水滴を樋70に確実に回収することができ、水切部60からの水滴を建物躯体の周辺に落とすことを抑えることができる。
これにより、建物躯体の周囲に水滴が落下して、その周囲の土が飛散して建物躯体に付着して、建物躯体の外観を不良にすることを抑えることができる。また、建物躯体の周囲に水滴を落下させて、落下途中に風に吹かれて建物躯体に水滴が付着することも抑えることができ、建物躯体の防水性を担保することができる。
【００２８】
次に、本発明の第二の実施の形態について説明する。
図３は、本発明の第二の実施の形態であって、軒先部材の縦断面図を示すものである。
本実施の形態は、屋根葺材30が、塩化ビニル鋼板等の弾性変形可能な薄板金属ではなく、それよりも厚み、重量共に大きな石綿セメント板を使用しているものである。この屋根葺材30は、それ自体の自重があるため、また、弾性変形量が少ないため、軒先の先端側を軒先部材10の係止部50に係止していないものである。そして、屋根葺材30と屋根部材20との間には、アスファルトルーフィング21が挟み込まれているが、屋根葺材30の軒先端部の裏面側と屋根部材20との間には、隙間が空きやすいため、かかる隙間からの水の浸入を抑えるためにブチルコーキング22が施されている。
【００２９】
そして、軒先部材10は、第一の実施の形態と同一のものが使用されているが、上述したように、屋根葺材30を係止部50に固定する必要がないため、係止部50の表面には、何も形成されていない。そして、この係止部50は、屋根葺材30の上の積雪が屋根葺材30の表面を滑り落ちてきた場合に樋70に引っかからないようにすることができる上に、水切りとしての役割を果たすものである。すなわち、この軒先部材10は、この係止部50と水切部60とにより二重の水切りを可能にするものである。これにより、より確実に水切りをすることができて、建物躯体への水の浸入を抑え、建物躯体への防水性を担保することができるものである。
【００３０】
なお、その他の構成、作用及び効果は、第一の実施の形態とほぼ同様であって、同様の部品には同一の部品番号を付与して説明を省略する。
【００３１】
【発明の効果】
本発明は、以上のように構成されているので、以下に記載されるような効果を奏する。
請求項１記載の発明によれば、軒先部材の軒先先端から上面側を伝わってきた水が建物躯体に伝わることを抑え、建物躯体への水の浸入を抑えることができるとともに、鼻隠しの上部先端を差し込むことができて、鼻隠しの上部先端と軒先部材の下端とを一体化することができて、両者を強固に固定することができる軒先部材を提供することができる。
【００３２】
請求項２記載の発明によれば、係止部に回り込ませた屋根葺材が棟側に引っ張られると、より強固に係止することができる軒先部材を提供することができる。
【００３３】
請求項３記載の発明によれば、一体物として形成したことにより、安価且つ容易に製造することができる軒先部材を提供することができる。
【００３４】
請求項４記載の発明によれば、水切部から垂れ落ちる水滴を建物周囲に落とすことなく樋に回収することができて、水滴が建物周囲に付着したり、地面から建物躯体への跳ね返りを抑えることができる軒先部材を提供することができる。
【図面の簡単な説明】
【図１】  本発明の第一の実施の形態であって、軒先部材を示す縦断面図である。
【図２】  本発明の第一の実施の形態であって、軒先部材を示す外観側面図である。
【図３】  本発明の第二の実施の形態であって、軒先部材を示す縦断面図である。
【図４】  従来の軒先部材を示す概略縦断面図である
【図５】  従来の他の軒先部材を示す概略縦断面図である。
【符号の説明】
10…軒先部材、11…鼻隠し、20…屋根部材、21…アスファルトルーフィング、22…ブチルコーキング、30…屋根葺材、40…本体部、41…折り返し部、42…折り曲げ部、43…締結部材、50…係止部、60…水切部、61…水切り片、62…差込部、70…樋、110…軒先部材、120…屋根葺材、130…締結部材、140…屋根部材。
【図１】
0003981436.tif 000002
【図２】
0003981436.tif 000003
【図３】
0003981436.tif 000004
【図４】
0003981436.tif 000005
【図５】
0003981436.tif 000006